(57)【特許請求の範囲】
【請求項１】
商品を収納するための包装箱であって、
該包装箱は、前面板、底面板、後面板、側面板、上面板、および上面板に連接されるとともに前面板を覆うようにして重なる前面被着板とを有し、
前記前面板には、ハの字状を構成する第１の切り込み線および第２の切り込み線と、これらの第１の切り込み線および第２の切り込み線の間に形成され、かつ、前面板と底面板との接合線に対して０〜１５°の角度の範囲で形成された第３の切り込み線とを有し、
前記前面被着板は、第１の切り込み線および第２の切り込み線にそれぞれ差し込まれる第１の差込片および第２の差込片と、第３の切り込み線に差し込まれる第３の差込片とを有し、
前記第１の切り込み線および第２の切り込み線は、前記前面板と底面板との接合線を基準線として角度θ1および角度θ2の鋭角をそれぞれ形成しており、
前記角度θ1および角度θ2が、それぞれ１０〜６０°であり、
前記第１の差込片および第２の差込片は、湾曲した舌片形状をしており、当該第１の差込片および第２の差込片の有効舌片形状高さＨ1およびＨ2がそれぞれ５〜３０ｍｍであり、
前記第１の差込片および第２の差込片の折り曲げ基部ラインが、前記第１の切り込み線および第２の切り込み線と実質的に平行であり、かつ前記第１の切り込み線および第２の切り込み線と同じか、あるいは下方の位置に存在しており、
前記前面板の第１の切り込み線、第２の切り込み線および第３の切り込み線にそれぞれ、前面被着板の第１の差込片、第２の差込片および第３の差込片を差し込むことにより、箱形態が固定されることを特徴とする包装箱。
【請求項２】
さらに、前記上面板の両側面板側に連接されるとともに左側面板および右側面板をそれぞれ覆うようにして重なる左側面被着板および右側面被着板を有し、
前記左側面板には、ハの字状を構成する第４の切り込み線および第５の切り込み線と、これらの第４の切り込み線および第５の切り込み線の間に形成され、かつ左側面板と底面板との接合線に対して０〜１５°の角度の範囲で形成された第６の切り込み線とを有し、
前記左側面被着板は、第４の切り込み線および第５の切り込み線にそれぞれ差し込まれる第４の差込片および第５の差込片と、第６の切り込み線に差し込まれる第６の差込片とを有し、
前記第４の切り込み線および第５の切り込み線は、前記左側面板と底面板との接合線を基準線として角度θ4および角度θ5の鋭角をそれぞれ形成しており、
前記角度θ4および角度θ5がそれぞれ１０〜６０°であり、
前記第４の差込片および第５の差込片は、湾曲した舌片形状をしており、当該第４の差込片および第５の差込片の有効舌片形状高さＨ4およびＨ5がそれぞれ５〜３０ｍｍであり、
前記第４の差込片および第５の差込片の折り曲げ基部ラインが、前記第４の切り込み線および第５の切り込み線と実質的に平行であり、かつ前記第４の切り込み線および第５の切り込み線と同じか、あるいは下方の位置に存在しており、
前記右側面板には、ハの字状を構成する第７の切り込み線および第８の切り込み線と、これらの第７の切り込み線および第８の切り込み線の間に形成され、かつ、右側面板と底面板との接合線に対して０〜１５°の角度の範囲で形成された第９の切り込み線とを有し、
前記右側面被着板は、第７の切り込み線および第８の切り込み線にそれぞれ差し込まれる第７の差込片および第８の差込片と、第９の切り込み線に差し込まれる第９の差込片とを有し、
前記第７の切り込み線および第８の切り込み線は、前記右側面板と底面板との接合線を基準線として角度θ7および角度θ8の鋭角をそれぞれ形成しており、
前記角度θ7および角度θ8がそれぞれ１０〜６０°であり、
前記第７の差込片および第８の差込片は、湾曲した舌片形状をしており、当該第７の差込片および第８の差込片の有効舌片形状高さＨ7およびＨ8がそれぞれ５〜３０ｍｍであり、
前記第７の差込片および第８の差込片の折り曲げ基部ラインが、前記第７の切り込み線および第８の切り込み線と実質的に平行であり、かつ前記第７の切り込み線および第８の切り込み線と同じか、あるいは下方の位置に存在しており、
前記左側面板の第４の切り込み線、第５の切り込み線および第６の切り込み線にそれぞれ、左側面被着板の第４の差込片、第５の差込片および第６の差込片を差し込み、
前記右側面板の第７の切り込み線、第８の切り込み線および第９の切り込み線にそれぞれ、右側面被着板の第７の差込片、第８の差込片および第９の差込片を差し込むことにより、箱形態が固定される、請求項１に記載の包装箱。
【請求項３】
前記角度θ1および角度θ2、角度θ4および角度θ5、および角度θ7および角度θ8が、それぞれ、２０〜４５°である請求項１または請求項２に記載の包装箱。
【請求項４】
前記前面板の上部端部には、内部を覆う中蓋板が連接されており、その中蓋板の先端部には、差し込み板片が連接されており、
前記後面板と２つの側面板の間にはそれぞれ両者を繋ぎかつ差し込みポケットを形成することができる連接板が形成されており、当該連接板は、内側に折り込まれる折り込み線によって、連接される側面板の後面端と後面板の幅方向端とが一致するように折り込まれる構造を有し、当該連接板の折り込みによって、折り込まれる連接板の後面板側の内面と、後面板の内面とによって差し込みポケットが形成され、当該差し込みポケットに前記差し込み板片を差し込むことによって、前記中蓋板が固定される請求項１ないし請求項３のいずれかに記載の包装箱。
【請求項５】
さらに、前記前面板と２つの側面板の間にはそれぞれ両者を繋ぐ連接板が形成されており、当該連接板は、内側に折り込まれる折り込み線によって、連接される側面板の前面端と前面板の幅方向端とが一致するように折り込まれる構造を有してなる、請求項４に記載の包装箱。
【請求項６】
さらに、前記側面板には、緩衝補強板が連接して形成されており、
該緩衝補強板は、前記側面板と一定の間隙をもって側面板の内側に折り込まれる構造を有しており、
当該緩衝補強板の存在によって、その緩衝補強板端部が前記差し込みポケットの内側移動を押える機能を発揮して箱強度を増大させてなる請求項４または請求項５に記載の包装箱。
【請求項７】
前記中蓋板には、内包する商品を間仕切るとともに緩衝作用をさせる、仕切り片が一体的に形成されてなる請求項４ないし請求項６のいずれかに記載の包装箱。
【請求項８】
前記緩衝補強板に連接して箱の底に敷設される底敷設板が設けられ、当該底敷設板に内包する商品を間仕切るとともに緩衝作用をさせる、仕切り片が一体的に形成されてなる請求項６または請求項７に記載の包装箱。
【発明の詳細な説明】
【技術分野】
【０００１】
本発明は、贈答品などの包装に使用される贈答箱として使用できる包装箱に関し、特に、従来の慣習であった多種多様の分離された資材（包み紙、板紙、熨斗、緩衝材等）を用いることなく、各機能部が一体的にシンプルに構成され、分別の必要性を極力なくし、包装資材の減量化にも寄与することができる包装箱に関する。
【背景技術】
【０００２】
包装箱、特に、贈答品の包装にあっては、内容物の見栄えを向上させたり、内容物の保護を確実にするために、包み紙、紙容器、熨斗、フィルム、緩衝材、テープ等の多種の資材がふんだんに使用されているのが一般的である。
【０００３】
そのため、贈答品を開封した後には、多種多様の包材を分別して廃棄する作業は極めて煩雑といえる。多くのゴミも発生する。
【０００４】
また、糊、テープ、タックシール等の接着部材により、特に、強固に接着固定された包装箱を開封するには時として大変な労力を必要とする場合がある。また、接着部材の存在によって、箱を綺麗に解体することができない場合には、解体紙をそのまま資源ごみとして活用することが難しくなる。
【先行技術文献】
【特許文献】
【０００５】
【特許文献１】実開昭６１−０４８１２１号公報
【特許文献２】実開昭５５−１６６７１６号公報
【発明の概要】
【発明が解決しようとする課題】
【０００６】
このような観点から、理想的には、ユーザーサイドの分別作業を軽減させるために、できるだけ１種類の紙材を用いることを原則として、折り方に工夫を凝らして多様な機能を持たせるような構成とすることが望まれている。また、接着部材の使用をせずに、箱形態の保持ができ、加えて箱の解体機能を充実させるようにすれば、箱を綺麗に解体でき、解体紙をそのまま資源として活用し易くなる。
【０００７】
このような実状のもとに、本発明は創案されたものであって、その目的は、贈答箱などの包装箱を廃棄する際の分別を減少させ、使用する包装資材の減量を実現させることができる包装箱を提供することにある。さらに、このような目的に合致するとともに、箱形態が保持できることを前提にしつつ、解体のしやすさ（剥がしやすさ）を実現するために糊、テープ、タックシール等の接着部材を極力なくした包装箱を提供することにある。
【課題を解決するための手段】
【０００８】
このような課題を解決するために本出願に係る発明者らが、贈答品等の容器包装の材質を原則１種類として箱形態の固定手法および多岐の機能を発揮できるような箱形態について鋭意研究をした結果、本発明の包装箱の構成に想到したのである。
【０００９】
すなわち、本発明は、商品を収納するための包装箱であって、該包装箱は、前面板、底面板、後面板、側面板、上面板、および上面板に連接されるとともに前面板を覆うようにして重なる前面被着板とを有し、前記前面板には、ハの字状を構成する第１の切り込み線および第２の切り込み線と、これらの第１の切り込み線および第２の切り込み線の間に形成され、かつ、前面板と底面板との接合線に対して０〜１５°の角度の範囲で形成された第３の切り込み線とを有し、前記前面被着板は、第１の切り込み線および第２の切り込み線にそれぞれ差し込まれる第１の差込片および第２の差込片と、第３の切り込み線に差し込まれる第３の差込片とを有し、前記第１の切り込み線および第２の切り込み線は、前記前面板と底面板との接合線を基準線として角度θ1および角度θ2の鋭角をそれぞれ形成しており、前記角度θ1および角度θ2が、それぞれ１０〜６０°であり、前記第１の差込片および第２の差込片は、湾曲した舌片形状をしており、当該第１の差込片および第２の差込片の有効舌片形状高さＨ1およびＨ2がそれぞれ５〜３０ｍｍであり、前記第１の差込片および第２の差込片の折り曲げ基部ラインが、前記第１の切り込み線および第２の切り込み線と実質的に平行であり、かつ前記第１の切り込み線および第２の切り込み線と同じか、あるいは下方の位置に存在しており、前記前面板の第１の切り込み線、第２の切り込み線および第３の切り込み線にそれぞれ、前面被着板の第１の差込片、第２の差込片および第３の差込片を差し込むことにより、箱形態が固定されるように構成される。
【００１０】
また、本発明の包装箱の好ましい態様として、さらに、前記上面板の両側面板側に連接されるとともに左側面板および右側面板をそれぞれ覆うようにして重なる左側面被着板および右側面被着板を有し、前記左側面板には、ハの字状を構成する第４の切り込み線および第５の切り込み線と、これらの第４の切り込み線および第５の切り込み線の間に形成され、かつ左側面板と底面板との接合線に対して０〜１５°の角度の範囲で形成された第６の切り込み線とを有し、前記左側面被着板は、第４の切り込み線および第５の切り込み線にそれぞれ差し込まれる第４の差込片および第５の差込片と、第６の切り込み線に差し込まれる第６の差込片とを有し、前記第４の切り込み線および第５の切り込み線は、前記左側面板と底面板との接合線を基準線として角度θ4および角度θ5の鋭角をそれぞれ形成しており、前記角度θ4および角度θ5がそれぞれ１０〜６０°であり、前記第４の差込片および第５の差込片は、湾曲した舌片形状をしており、当該第４の差込片および第５の差込片の有効舌片形状高さＨ4およびＨ5がそれぞれ５〜３０ｍｍであり、前記第４の差込片および第５の差込片の折り曲げ基部ラインが、前記第４の切り込み線および第５の切り込み線と実質的に平行であり、かつ前記第４の切り込み線および第５の切り込み線と同じか、あるいは下方の位置に存在しており、前記右側面板には、ハの字状を構成する第７の切り込み線および第８の切り込み線と、これらの第７の切り込み線および第８の切り込み線の間に形成され、かつ、右側面板と底面板との接合線に対して０〜１５°の角度の範囲で形成された第９の切り込み線とを有し、前記右側面被着板は、第７の切り込み線および第８の切り込み線にそれぞれ差し込まれる第７の差込片および第８の差込片と、第９の切り込み線に差し込まれる第９の差込片とを有し、前記第７の切り込み線および第８の切り込み線は、前記右側面板と底面板との接合線を基準線として角度θ7および角度θ8の鋭角をそれぞれ形成しており、前記角度θ7および角度θ8がそれぞれ１０〜６０°であり、前記第７の差込片および第８の差込片は、湾曲した舌片形状をしており、当該第７の差込片および第８の差込片の有効舌片形状高さＨ7およびＨ8がそれぞれ５〜３０ｍｍであり、前記第７の差込片および第８の差込片の折り曲げ基部ラインが、前記第７の切り込み線および第８の切り込み線と実質的に平行であり、かつ前記第７の切り込み線および第８の切り込み線と同じか、あるいは下方の位置に存在しており、前記左側面板の第４の切り込み線、第５の切り込み線および第６の切り込み線にそれぞれ、左側面被着板の第４の差込片、第５の差込片および第６の差込片を差し込み、前記右側面板の第７の切り込み線、第８の切り込み線および第９の切り込み線にそれぞれ、右側面被着板の第７の差込片、第８の差込片および第９の差込片を差し込むことにより、箱形態が固定されるように構成される。
【００１１】
また、本発明の包装箱の好ましい態様として、前記角度θ1および角度θ2、角度θ4および角度θ5、および角度θ7および角度θ8、がそれぞれ、２０〜４５°であるように構成される。
【００１２】
また、本発明の包装箱の好ましい態様として、前記前面板の上部端部には、内部を覆う中蓋板が連接されており、その中蓋板の先端部には、差し込み板片が連接されており、前記後面板と２つの側面板の間にはそれぞれ両者を繋ぎかつ差し込みポケットを形成用することができる連接板が形成されており、当該連接板は、内側に折り込まれる折り込み線によって、連接される側面板の後面端と後面板の幅方向端とが一致するように折り込まれる構造を有し、当該連接板の折り込みによって、折り込まれる連接板の後面板側の内面と、後面板の内面とによって差し込みポケットが形成され、当該差し込みポケットに前記差し込み板片を差し込むことによって、前記中蓋板が固定されるように構成される。
【００１３】
また、本発明の包装箱の好ましい態様として、さらに、前記前面板と２つの側面板の間にはそれぞれ両者を繋ぐ連接板が形成されており、当該連接板は、内側に折り込まれる折り込み線によって、連接される側面板の前面端と前面板の幅方向端とが一致するように折り込まれる構造を有してなるように構成される。
【００１４】
また、本発明の包装箱の好ましい態様として、さらに、前記側面板には、緩衝補強板が連接して形成されており、該緩衝補強板は、前記側面板と一定の間隙をもって側面板の内側に折り込まれる構造を有しており、当該緩衝補強板の存在によって、その緩衝補強板端部が前記差し込みポケットの内側移動を押える機能を発揮して箱強度を増大させてなるように構成される。
【００１５】
また、本発明の包装箱の好ましい態様として、前記中蓋板には、内包する商品を間仕切るとともに緩衝作用をさせる、仕切り片が一体的に形成されてなるように構成される。
【００１６】
また、本発明の包装箱の好ましい態様として、前記緩衝補強板に連接して箱の底に敷設される底敷設板が設けられ、当該底敷設板に内包する商品を間仕切るとともに緩衝作用をさせる、仕切り片が一体的に形成されてなるように構成される。
【発明の効果】
【００２０】
本発明は、多種多様の分離された資材を用いることなく、１種類の紙材を用いて折り方に工夫を凝らして多様な機能を持たせるようなシンプルな構成としているので、分別の必要性が極めて少なくなり、さらには包装資材の減量化にも寄与できる。さらには、箱の解体がしやすく（剥がしやすく）ので、箱を綺麗に解体でき、解体紙をそのまま資源として活用し易くなるという効果がある。
【図面の簡単な説明】
【００２１】
【図１】図１は、本発明の第１の実施形態における包装箱の展開図の一例を示したものである。
【図２】図２は、本発明の第２の実施形態における包装箱の展開図の一例を示したものである。
【図３】図３は、本発明の第１の実施形態における包装箱の組立手法を経時的に説明するため概略斜視図である。
【図４】図４は、本発明の第１の実施形態における包装箱の組立手法を経時的に説明するため概略斜視図である。
【図５】図５は、本発明の第１の実施形態における包装箱の組立手法を経時的に説明するため概略斜視図である。
【図６】図６は、本発明の第１の実施形態における包装箱の組立手法を経時的に説明するため概略斜視図である。
【図７】図７は、本発明の第１の実施形態における包装箱の組立手法を経時的に説明するため概略斜視図である。
【図８】図８は、本発明の第３の実施形態における包装箱の展開図の一例を示したものである。
【図９】図９は、本発明の第４の実施形態における包装箱の展開図の一例を示したものである。
【図１０】図１０は、本発明の第５の実施形態における包装箱の展開図の一例を示したものである。
【図１１】図１１は、本発明の第６の実施形態における包装箱の展開図の一例を示したものである。
【発明を実施するための形態】
【００２２】
以下、本発明の包装箱の実施の形態について、詳細に説明する。
【００２３】
図１には、本発明の包装箱の第１の実施形態が示されており、図２には、図１に示される第１の実施形態の形状から、前面板の上部端部に内部を覆う中蓋板８０および差し込み板片９０が除かれたシンプルな形態である第２の実施形態が示されている。
【００２４】
内包される商品が例えば菓子などの比較的軽いものであれば、通常、図２に示されるような第２の実施形態の包装箱の形態で十分であると言えるが、内包される商品が缶ビールなどの比較的重量の有るものであると、図１に示されるように中蓋板８０および差し込み板片９０が連接・付加されて箱強度がさらに向上した第１の実施形態の包装箱形態とすることが望ましい。
【００２５】
なお、本発明の包装箱を構成する材料としては、紙材が好適に用いられるが、かならずしも紙材に限定されるものではない。例えば、ＰＰ，ＰＥ，ＰＥＴ等からなる樹脂シートやフィルム、樹脂と紙材との積層体構造のシートやフィルム、紙材に樹脂を含浸させた樹脂含浸シートやフィルム、紙材にアルミナ等を蒸着させたシートやフィルムなどを用いてもよい。
【００２６】
〔第１の実施形態の包装箱の説明〕
図１に示される商品を収納するための包装箱は、前面板１０と、底面板２０と、後面板３０と、側面板４０，５０と、上面板６０と、上面板６０に連接されるとともに前面板１０を覆うようにして重なることができる前面被着板１００と、前面板１０の上部端部に連接されて内部を覆う中蓋板１８０と、中蓋板１８０の先端部に連接された差し込み板片９０と、を有して構成されている。
【００２７】
さらに、側面板４０，５０の上方折り線４０ａ，５０ａに連接されて、緩衝補強板７０，８０がそれぞれ形成されている。緩衝補強板７０，８０は、側面板４０，５０の内面と一定の間隙をもって側面板４０，５０の内側に折り込まれる構造を有している。
【００２８】
さらに、前面板１０と２つの側面板４０，５０の間には、両者（前面板と側面板）を繋ぐ連接板１１０，１１０がそれぞれ形成されている。これらの連接板１１０は、内側に折り込まれる折り込み線１１０ａによって、連接される側面板４０の前面端４１と前面板１０の幅方向端１１、および側面板５０の前面端５１と前面板１０の幅方向端１１とがそれぞれ一致するように折り込まれる構造を有している。
【００２９】
同様に、後面板３０と２つの側面板４０，５０の間には、両者（前面板と側面板）を繋ぐ連接板１２０，１２０が形成されており、これらの連接板１２０は、内側に折り込まれる折り込み線１２０ａによって、連接される側面板４０の後面端４２と後面板３０の幅方向端３１、および連接される側面板５０の後面端５２と後面板３０の幅方向端３１とがそれぞれ一致するように折り込まれる構造を有している。そして、連接板１２０の折り込みによって、折り込まれる連接板１２０の後面板３０側の内面１２１と、後面板３０の内面３３とによって差し込みポケットＰが形成され、当該差し込みポケットＰに差し込み板片９０を差し込むことによって、中蓋板１８０が固定されるようになっている。
【００３０】
もちろん、他方の連接板１１０，１１０についても、内側に折り込まれる折り込み線１１０ａを基準に同様に折り込むことによって、差し込みポケットは形成されるが、本実施の形態においては、この連接板１１０，１１０によって形成される差し込みポケットには特に挿入されるものはなく、単に折り込みを利用した緩衝作用を発揮させるに留まる。
【００３１】
前面板１０は、箱組立によって前面板を立設させて前面板１０を正面から見た場合にハの字状を構成する第１の切り込み線１５および第２の切り込み線１６と、これらの第１切り込み線１５および第２の切り込み線１６の間の位置に形成され、かつ、前面板１０と底面板２０との接合線１０ａに略平行に形成された第３の切り込み線１７とを有している（図１および図６参照）。ここで、第３の切り込み線１７を規定する『略平行』とは、平行から±１５°までの誤差範囲を許容するものとして定義される。
【００３２】
前面被着板１００は、前面板１０の第１の切り込み線１５および第２の切り込み線１６にそれぞれ差し込まれる第１の差込片１０５および第２の差込片１０６と、前面板１０の第３の切り込み線１７に差込まれる第３の差込片１０７とを有して構成されている。
【００３３】
なお、図１の実施形態においては、前面板１０と底面板２０との接合線１０ａの略中央に第４の切り込み線１８が形成されており、前面被着板１００の先端部中央には第４の差込片１０８が形成されている。
【００３４】
前面板１０に形成される第１の切り込み線１５および第２の切り込み線１６は、前面板１０と底面板２０との接合線１０ａを基準線として角度θ1および角度θ2の鋭角をそれぞれ形成している。『鋭角を形成』であるから、角度θ1および角度θ2はハの字の内側を基準として設定された角度である。このような角度θ1および角度θ2は、それぞれ、１０〜６０°、好ましくは２０〜４５°に設定される。第１の切り込み線１５および第２の切り込み線１６が直線でなく、わずかに湾曲している場合には、始点と終点を直線で結んで角度θ1および角度θ2を求めるようにすればよい。
【００３５】
前面被着板１００に形成される第１の差込片１０５および第２の差込片１０６は、好適には湾曲した舌片形状をしており、舌片形状の基部となる折り線１０５ａ，１０６ａの箇所から折り曲げ可能となっている。なお、本発明でいう湾曲した舌片形状とは、略半楕円形状、略半円形状等の形状をも含む広い概念の形状として定義される。
【００３６】
これらの第１の差込片１０５および第２の差込片１０６の有効舌片形状高さＨ1およびＨ2は、それぞれ５〜３０ｍｍ、好ましくは１０〜２０ｍｍとされる。箱形態を安定に保つためである。高さＨ1およびＨ2は、図示のごとく舌片形状の基部となる折り線１０５ａ，１０６ａとの間に平行線を引くことにより求められる。なお、有効舌片形状高さＨ1およびＨ2は、第１の切り込み線１５および第２の切り込み線１６に差し込まれた場合の挿入された部分の高さに相当する。従って、図１に示される有効舌片形状高さＨ1およびＨ2は、箱の形にした時、第１の差込片１０５および第２の差込片１０６の折り曲げ基部ライン（折り線１０５ａ，１０６ａ）が、第１の切り込み線１５および第２の切り込み線１６と同じ（位置的に一致する）場合である。
【００３７】
なお、組立られた箱の形で、第１の差込片１０５および第２の差込片１０６の折り曲げ基部ライン（折り線１０５ａ，１０６ａ）が、第１の切り込み線１５および第２の切り込み線１６と実質的に平行（平行±１５°の範囲）であり、かつ前記第１の切り込み線１５および第２の切り込み線１６と同じか、あるいは下方の位置（底に近い方向であり、その位置の差は、３〜１５ｍｍの範囲）に存在していることが望ましい。差し込み片の差込操作および抜き操作を容易にするためである。従って、例えば、第１の差込片１０５および第２の差込片１０６の折り曲げ基部ライン（折り線１０５ａ，１０６ａと同義）が前記第１の切り込み線１５および第２の切り込み線１６よりもＮｍｍ下方に位置する場合、第１の差込片１０５および第２の差込片１０６のＮｍｍ相当分は、第１の切り込み線１５および第２の切り込み線１６に挿入されないので、このＮｍｍを考慮して（付加して）第１の差込片１０５および第２の差込片１０６の長さを設計する必要がある。
【００３８】
前面被着板１００に形成される第３の差込片１０７は、略半円形状をなしており、基部となる折り線１０７ａの箇所から折り曲げ可能となっている。さらに、前面被着板１００の先端に形成される第４の差込片１０８は、略長方形形状をなしており、２つの折り線１０８ａ、１０８ｂ（差込のための主たる折り線は１０８ｂ）の箇所から折り曲げ可能となっている。
【００３９】
さらに、側面板４０，５０の上方折り線４０ａ，５０ａに緩衝補強板７０，８０がそれぞれ連接して形成されている。緩衝補強板７０，８０は、側面板４０，５０の内面と一定の間隙をもって側面板の内側に折り込まれる構造を有している。
【００４０】
緩衝補強板７０，８０は、上部位置を構成する上板７１、８１と、折り線７０ａ，８０ａを介して連接される側板７２、８２と、折り線７０ｂ，８０ｂを介して底面板２０の内部に載置される載置板７３，８３と、折り線７０ｂ，８０ｂを基部として載置板７３，８３と反対方向に折り曲げられて緩衝補強板７０，８０の間隙を保持する保持片７４，８４を有している。このような緩衝補強板７０，８０は、所定の折込による本来の緩衝機能に加えて、緩衝補強板７０，８０の端部が前述した連接板１１０，１２０で形成される差し込みポケットの内側移動を押える機能を発揮して箱強度を増大させるようにも作用している。
【００４１】
上述した前面板１０の上部端部には、折り線１８０ａを介して、箱内部を一旦、覆う中蓋板１８０が連接されている。そして、この中蓋板１８０の先端部には、折り線９０ａを介して、差し込み板片９０が連接されている。
【００４２】
本実施の形態における中蓋板１８０には、内包する商品を間仕切るとともに緩衝作用をさせる、仕切り片が一体的に形成されている。具体的な一例として、３つの楕円片１８１，１８２，１８３が形成されている。これらの楕円片１８１，１８２，１８３は、折り線１８１ａ，１８２ａ，１８３ａのわずかな直線箇所のみで中蓋板１８０に繋がっており、当該折り線１８１ａ，１８２ａ，１８３ａを基部として３つの楕円片１８１，１８２，１８３は折り曲げ可能となっている。このような３つの楕円片１８１，１８２，１８３は、例えば、箱の内部に垂下されて、商品と商品とを間仕切り、緩衝作用を発揮させることができるようになっている。また、開封途中の商品の除き窓としての機能をも有する。
【００４３】
差し込み板片９０は、前述したように、連接板１２０の折り込みによって、折り込まれる連接板１２０の後面板３０側の内面１２１と、後面板３０の内面３３とによって差し込みポケットＰが形成され、当該差し込みポケットＰに差し込み板片９０が差し込まれ、これによって、中蓋板１８０が固定されるようになっている（図５参照）。
【００４４】
上述してきた図１の展開図に基づく説明に加えて、本発明の構成をより明瞭に理解できるようにとの配慮から第１の実施形態の包装箱の組立手法を図３〜図７を参照しつつ以下に説明する。
【００４５】
まず、最初に、図３に示されるように、側面板４０，５０を立てつつ、緩衝補強板７０，８０が、側面板４０，５０の内面と一定の間隙をもって側面板の内側に折り込まれる。上部位置を構成する上板７１、８１が、上部に出ており、折り線７０ａ，８０ａを介して側板７２、８２が内部側部に配置され、折り線７０ｂ，８０ｂを介して載置板７３，８３が底面板２０の上の内側に載置される。この際、保持片７４，８４は、折り線７０ｂ，８０ｂを基部として載置板７３，８３と反対方向（外側）に折り曲げられて緩衝補強板７０，８０の間隙を保持するようになっている。なお、上述したように、緩衝補強板７０，８０は、所定の折込による本来の緩衝機能に加えて、緩衝補強板端部が前述した連接板１１０，１２０で形成される差し込みポケットの内側移動を押える機能を発揮して箱強度を増大させるようにも作用している。
【００４６】
次いで、図４に示されるように、例えば、商品として缶ビールが３個、収納配置される。
次いで、図５に示されるように、前面板１０と後面板３０を立て、折り線１８０ａ（図１参照）を介して、中蓋板１８０を折り込んで行き、箱内部を一旦覆う。この際、連接板１２０および１１０は、所定の差し込みポケットが形成されるように折り込まれ、この差し込みポケットＰ（連接板１２０で形成される）の中に、差し込み板片９０が差し込まれ、これによって、中蓋板１８０が固定されるようになっている（図６状態に至る）。
【００４７】
この中蓋板１８０の固定操作が完了した後、次いで、図７に示されるように、折り線６０ａを介して、中蓋板１８０の上に上面板６０を被せるとともに、折り線１００ａを介して、前面被着板１００を折り込んで前面板１０の上を覆うように重ねる。しかる後、第１の差込片１０５および第２の差込片１０６を前面板１０の第１の切り込み線１５および第２の切り込み線１６にそれぞれ差し込む。これによって特に、図７の左右横および左右斜め方向の動き（矢印（イ）、（ロ））が固定される。さらに、第３の差込片１０７を前面板１０の第３の切り込み線１７に差し込む。これによって特に、図７の上下方向の動き（矢印（ハ））が固定される。さらに、念のために第４の切り込み線１８に、第４の差込片１０８を差し込み、箱形態の固定が行われる。
【００４８】
なお、前述したように、第１の差込片１０５および第２の差込片１０６の折り曲げ基部ライン（折り線１０５ａ，１０６ａと同義）が、第１の切り込み線１５および第２の切り込み線１６と実質的に平行（平行±１５°の範囲）であり、かつ前記第１の切り込み線１５および第２の切り込み線１６と同じか、あるいは図７に示すごとく下方の位置（底に近い方向であり、その位置の差は、３〜１５ｍｍの範囲）に存在していることが望ましい。差し込み片の差込操作および抜き操作を容易にするためである。
【００４９】
本発明においては、第１の切り込み線および第２の切り込み線の角度θ1および角度θ2と有効舌片形状高さＨ1およびＨ2の関係が特に重要であり、これらの値をパラ−タとして変化させて、図１に示されるような具体的包装箱を作製し、（１）４００ｍｍの高さから底面を下にした正立の箱状態で真っ直ぐに落下させた正立落下試験、および（２）４００ｍｍの高さから底面を４５度傾けた状態（箱全体も４５度傾く）で落下させた４５度傾斜落下試験、をそれぞれ行い、差し込み片の外れの有無を確認した。
【００５０】
その結果を下記表１に示した。
【００５１】
【表１】
0005487518.tif 000002
【００５２】
表１に示される実験結果より本発明の効果は明らかである。
【００５３】
〔第２の実施形態の包装箱の説明〕
図２に示される第２の実施形態の包装箱２は、前述したように図１に示される第１の実施形態の形状から、前面板の上部端部に連接して内部を覆う中蓋板１８０および差し込み板片９０を除いたシンプルな箱形態である。ここで、図１と重複した説明は極力省略する。図２に示される符号が、前述の図１に示される符号と同一で有る場合は、同一部材および同一の意義を有する。第１の実施形態の説明から、第２の実施形態の包装箱２の形態は容易に想起することができるので、ここでは、簡単に第２の実施形態の包装箱２の組立手法を文章のみで述べ、箱形態の説明とする。
【００５４】
まず、最初に、側面板４０，５０を立てつつ、緩衝補強板７０，８０が、側面板４０，５０の内面と一定の間隙をもって側面板の内側に折り込まれる。上部位置を構成する上板７１、８１が、上部に出ており、折り線７０ａ，８０ａを介して側板７２、８２が内部側部に配置され、折り線７０ｂ，８０ｂを介して載置板７３，８３が底面板２０の上に載置される。この際、保持片７４，８４は、折り線７０ｂ，８０ｂを基部として載置板７３，８３と反対方向に折り曲げられて緩衝補強板７０，８０の間隙を保持するようになっている。緩衝補強板７０，８０は、所定の折込による本来の緩衝機能に加えて、連接板１１０，１２０で形成される差し込みポケットの内側移動を押える機能を発揮して箱強度を増大させるようにも作用している。
【００５５】
次いで、前面板１０と後面板３０を立てつつ、折り線６０ａを介して、上面板６０を被せるとともに、折り線１００ａを介して、前面被着板１００を折り込んで前面板１０の上を覆うように重ねる。しかる後、第１の差込片１０５および第２の差込片１０６を前面板１０の第１の切り込み線１５および第２の切り込み線１６にそれぞれ差し込む。さらに、第３の差込片１０７を前面板１０の第３の切り込み線１７に差し込む。さらに、第４の切り込み線１８に、第４の差込片１０８を差し込み、箱形態の固定が行われる。
【００５６】
〔第３の実施形態の包装箱の説明〕
図８に示される第３の実施形態の包装箱３は、前述した第１の実施形態の包装箱１をさらに拡張した例である。第１の実施形態の包装箱１が例えば、缶ビール３個を収納した箱であるならば、第３の実施形態の包装箱３は缶ビール３個を２列に配置して合計６個の缶ビールを収納した箱である。前面側に加えて両側面側においても差し込みによる箱形態の固定ができるようになっている。さらには、収納される商品の数が増えた分、間仕切り手法に若干の変更が加えられている。
【００５７】
図８に示される符号が、前述の図１に示される符号と同一で有る場合は、同一部材および同一の意義を有する。第１の実施形態の説明から、第３の実施形態の包装箱３の基本形態は容易に想起することができる。それゆえ、重複記載をなるべく避けて、第３の実施形態の包装箱３が、第１の実施形態の包装箱１と異なる箇所を中心に述べることとする。
【００５８】
以下、説明する。
図８に示される第３の実施形態の包装箱３は、上面板６０のそれぞれの側面側に、左側面板５０および右側面板４０をそれぞれ覆うようにして重なることができる左側面被着板５００および右側面被着板４００を有している。なお、本発明において、右側、左側とは、箱形態を形成して前面板を正面に見た状態で規定している。
【００５９】
そして、左側面被着板５００が被着される左側面板５０には、ハの字状を構成する第４の切り込み線５５および第５の切り込み線５６と、これらの第４切り込み線５５および第５の切り込み線５６の間に形成され、かつ、左側面板５０と底面板２０との接合線５０ｂに略平行に形成された第６の切り込み線５７とを有している。「略平行」とは上記の定義と同義である。
【００６０】
左側面被着板５００は、第４の切り込み線５５および第５の切り込み線５６にそれぞれ差し込まれる第４の差込片５０５および第５の差込片５０６と、第６の切り込み線５７に差込まれる第６の差込片５０７とを有している。
【００６１】
第４の切り込み線５５および第５の切り込み線５６は、左側面板５０と底面板２０との接合線５０ｂを基準線として角度θ4および角度θ5の鋭角をそれぞれ形成しており、角度θ4および角度θ5は、それぞれ１０〜６０°、好ましくは２０〜４５°とされる。『鋭角を形成』であるから、角度θ4および角度θ5はハの字の内側を基準として設定された角度である。第４の切り込み線５５および第５の切り込み線５６が直線でなく、わずかに湾曲している場合には、始点と終点を直線で結んで角度θ4および角度θ5を求めるようにすればよい。
【００６２】
第４の差込片５０５および第５の差込片５０６は、湾曲した舌片形状をしており、舌片形状の基部となる折り線５０５ａ，５０６ａの箇所から折り曲げ可能となっている。これらの第４の差込片５０５および第５の差込片５０６の有効舌片形状高さＨ4およびＨ5は、それぞれ５〜３０ｍｍ、好ましくは１０〜２０ｍｍとされる。箱形態を安定に保つためである。高さＨ4およびＨ5は、図示のごとく舌片形状の基部となる折り線５０５ａ，５０６ａとの間に平行線を引くことにより求められる。
【００６３】
なお、有効舌片形状高さＨ4およびＨ5は、第４の切り込み線５５および第５の切り込み線５６に差し込まれた場合の挿入された部分の高さに相当する。従って、図８に示される有効舌片形状高さＨ4およびＨ5は、箱の形にした時、第４の差込片５０５および第５の差込片５０６の折り曲げ基部ライン（折り線５０５ａ，５０６ａ）が、第４の切り込み線５５および第５の切り込み線５６と同じ（位置的に一致する）場合である。
【００６４】
なお、組立られた箱の形で、第４の差込片５０５および第５の差込片５０６の折り曲げ基部ライン（折り線５０５ａ，５０６ａ）が、第４の切り込み線５５および第５の切り込み線５６と実質的に平行（平行±１５°の範囲）であり、かつ第４の切り込み線５５および第５の切り込み線５６と同じか、あるいは下方の位置（底に近い方向であり、その位置の差は、３〜１５ｍｍの範囲）に存在していることが望ましい。差し込み片の差込操作および抜き操作を容易にするためである。従って、例えば、第４の差込片５０５および第５の差込片５０６の折り曲げ基部ライン（折り線５０５ａ，５０６ａと同義）が第４の切り込み線５５および第２の切り込み線５６よりもＮｍｍ下方に位置する場合、第４の差込片５０５および第５の差込片５０６のＮｍｍ相当分は、第４の切り込み線５５および第５の切り込み線５６に挿入されないので、このＮｍｍを考慮して（付加して）第４の差込片５０５および第５の差込片５０６の長さを設計する必要がある。
【００６５】
左側面被着板５００に形成される第６の差込片５０７は、略半円形状をなしており、基部となる折り線５０７ａの箇所から折り曲げ可能となっている。
【００６６】
この一方で、右側面被着板４００が被着される右側面板４０には、ハの字状を構成する第７の切り込み線４５および第８の切り込み線４６と、これらの第７切り込み線４５および第８の切り込み線４６の間に形成され、かつ、右側面板４０と底面板２０との接合線４０ｂに略平行に形成された第９の切り込み線４７とを有している。「略平行」とは上記の定義と同義である。
【００６７】
右側面被着板４００は、第７の切り込み線４５および第８の切り込み線４６にそれぞれ差し込まれる第７の差込片４０５および第８の差込片４０６と、第９の切り込み線４７に差込まれる第９の差込片４０７とを有している。
【００６８】
第７の切り込み線４５および第８の切り込み線４６は、右側面板４０と底面板２０との接合線４０ｂを基準線として角度θ7および角度θ8の鋭角をそれぞれ形成しており、角度θ7および角度θ8は、それぞれ１０〜６０°、好ましくは２０〜４５°とされる。『鋭角を形成』であるから、角度θ7および角度θ8はハの字の内側を基準として設定された角度である。第７の切り込み線４５および第８の切り込み線４６が直線でなく、わずかに湾曲している場合には、始点と終点を直線で結んで角度θ7および角度θ8を求めるようにすればよい。
【００６９】
第７の差込片４０５および第８の差込片４０６は、湾曲した舌片形状をしており、舌片形状の基部となる折り線４０５ａ，４０６ａの箇所から折り曲げ可能となっている。これらの第７の差込片４０５および第８の差込片４０６の有効舌片形状高さＨ7およびＨ8は、それぞれ５〜３０ｍｍ、好ましくは１０〜２０ｍｍとされる。箱形態を安定に保つためである。高さ高さＨ7およびＨ8は、図示のごとく舌片形状の基部となる折り線４０５ａ，４０６ａとの間に平行線を引くことにより求められる。
【００７０】
なお、有効舌片形状高さＨ7およびＨ8は、第７の切り込み線４５および第８の切り込み線４６に差し込まれた場合の挿入された部分の高さに相当する。従って、図８に示される有効舌片形状高さＨ7およびＨ8は、箱の形にした時、第７の差込片４０５および第８の差込片４０６の折り曲げ基部ライン（折り線４０５ａ，４０６ａ）が、第７の切り込み線４５および第８の切り込み線４６と同じ（位置的に一致する）場合である。
【００７１】
なお、組立られた箱の形で、第７の差込片４０５および第８の差込片４０６の折り曲げ基部ライン（折り線４０５ａ，４０６ａ）が、第７の切り込み線４５および第８の切り込み線４６と実質的に平行（平行±１５°の範囲）であり、かつ第７の切り込み線４５および第８の切り込み線４６と同じか、あるいは下方の位置（底に近い方向であり、その位置の差は、３〜１５ｍｍの範囲）に存在していることが望ましい。差し込み片の差込操作および抜き操作を容易にするためである。従って、例えば、第７の差込片４０５および第８の差込片４０６の折り曲げ基部ライン（折り線４０５ａ，４０６ａと同義）が第７の切り込み線４５および第８の切り込み線４６よりもＮｍｍ下方に位置する場合、第７の差込片４０５および第８の差込片４０６のＮｍｍ相当分は、第７の切り込み線４５および第８の切り込み線４６に挿入されないので、このＮｍｍを考慮して（付加して）第７の差込片４０５および第８の差込片４０６の長さを設計する必要がある。
【００７２】
右側面被着板４００に形成される第９の差込片４０７は、略半円形状をなしており、基部となる折り線４０７ａの箇所から折り曲げ可能となっている。
【００７３】
上述してきた左側面板５０の第４の切り込み線５５、第５の切り込み線５６および第６の切り込み線５７にそれぞれ、左側面被着板５００の第４の差込片５０５、第５の差込片５０６および第６の差込片５０７を差し込み、右側面板４０の第７の切り込み線４５、第８の切り込み線４６および第９の切り込み線４７にそれぞれ、右側面被着板４００の第７の差込片４０５、第８の差込片４０６および第９の差込片４０７を差し込み、前面板１０の第１の切り込み線１５、第２の切り込み線１６および第３の切り込み線１７にそれぞれ、前面被着板１００の第１の差込片１０５、第２の差込片１０６および第３の差込片１０７を差し込むことにより、箱形態が固定される。
【００７４】
本実施の形態における中蓋板１８０には、内包する商品を間仕切るとともに緩衝作用をさせる、仕切り片が一体的に形成されている。具体的一例として、３つの楕円片１８１，１８２，１８３と、１つの長方形片１８５とが形成されている。楕円片１８１，１８２，１８３は、折り線１８１ａ，１８２ａ，１８３ａの箇所のみで中蓋板１８０に繋がっており、当該折り線１８１ａ，１８２ａ，１８３ａを基部として３つの楕円片１８１，１８２，１８３は折り曲げ可能となっている。このような３つの楕円片１８１，１８２，１８３は、例えば、箱の内部に垂下されて、商品と商品とを間仕切り、緩衝作用を発揮させることができるようになっている。また、開封途中の商品の除き窓としての機能をも有する。長方形片１８５は、一辺の折り線１８５ａの箇所のみで中蓋板１８０に繋がっており、当該折り線１８５ａを基部として長方形片１８５は折り曲げ可能となっている。長方形片１８５は、例えば、箱の内部に垂下されて商品と商品とを間仕切り、緩衝作用を発揮させることができるようになっている。例えば、３個の缶ビールを２段に配置した場合（合計６缶）、１段目と２段目の仕切り板として使用することができる。
【００７５】
また、本実施の形態において、片側の緩衝補強板７０には、箱の底に敷設される底敷設板１７０が連接して設けられている。そして、本実施の形態における底敷設板１７０には、内包する商品を間仕切るとともに緩衝作用をさせる、長方形状の仕切り片１７１、１７２が一体的に形成されている。仕切り片１７１，１７２は、折り線１７１ａ，１７２ａの箇所のみで底敷設板１７０に繋がっており、当該折り線１７１ａ，１７２ａを基部として仕切り片１７１，１７２は折り曲げ可能となっている。このような仕切り片１７１，１７２は、例えば、箱の底部から折り曲げて立設させ、商品と商品とを間仕切り、緩衝作用を発揮させることができるようになっている。例えば、３個の缶ビールを仕切る仕切り板として使用することができる。
【００７６】
上述してきた図８の展開図に基づく説明に加えて、本発明の構成をより明瞭に理解できるようにとの配慮から第３の実施形態の包装箱の組立手法を以下に説明する。
【００７７】
まず、最初に、側面板４０，５０を立てつつ、緩衝補強板７０，８０が、側面板４０，５０の内面と一定の間隙をもって側面板の内側に折り込まれる。上部位置を構成する上板７１、８１が、上部に出ており、折り線７０ａ，８０ａを介して側板７２、８２が内部側部に配置される。一方の緩衝補強板８０においては、折り線８０ｂを介して載置板８３が底面板２０の上に載置される。この際、保持片８４は、折り線８０ｂを基部として載置板８３と反対方向に折り曲げられて緩衝補強板８０の間隙を保持するようになっている。他方の緩衝補強板７０においては、折り線７０ｂを介して底敷設板１７０が底面板２０の上の内側に載置される。この際、保持片７４は、折り線８０ｂを基部として底敷設板１７０と反対方向（外側）に折り曲げられて緩衝補強板７０の間隙を保持するようになっている。底敷設板１７０の仕切り片１７１，１７２は、折り線１７１ａ，１７２ａを基部として立設される。
【００７８】
なお、上述したように、緩衝補強板７０，８０は、所定の折込による本来の緩衝機能に加えて、緩衝補強板７０，８０の端部が前述した連接板１１０，１２０で形成される差し込みポケットの内側移動を押える機能を発揮して箱強度を増大させるようにも作用している。
【００７９】
次いで、例えば、商品として缶ビールが３個×２段、合計６個収納配置される。
【００８０】
次いで、前面板１０と後面板３０を立て、折り線１８０ａを介して、中蓋板１８０を折り込んで行き、箱内部を一旦覆う。この際、連接板１２０および１１０は、所定の差し込みポケットが形成されるように折り込まれ、この差し込みポケットＰの中に、差し込み板片９０が差し込まれ、これによって、中蓋板１８０が固定されるようになっている。
【００８１】
この中蓋板１８０の固定操作が完了した後、次いで、折り線６０ａを介して、中蓋板１８０の上に上面板６０を被せるとともに、折り線１００ａ、折り線４００ａ、および折り線５００ａを介して、前面被着板１００、右側面被着板４００、および左側面被着板５００をそれぞれ折り込んで前面板１０、右側面板４０、および左側面板５０の上を覆うように重ねる。しかる後、左側面板５０の第４の切り込み線５５、第５の切り込み線５６および第６の切り込み線５７にそれぞれ、左側面被着板５００の第４の差込片５０５、第５の差込片５０６および第６の差込片５０７を差し込み、右側面板４０の第７の切り込み線４５、第８の切り込み線４６および第９の切り込み線４７にそれぞれ、右側面被着板４００の第７の差込片４０５、第８の差込片４０６および第９の差込片４０７を差し込み、前面板１０の第１の切り込み線１５、第２の切り込み線１６および第３の切り込み線１７にそれぞれ、前面被着板１００の第１の差込片１０５、第２の差込片１０６および第３の差込片１０７を差し込むことにより、箱形態が固定される。なお、差し込み手法の順序は特に、上記の例に制限されるものではない。
【００８２】
なお、図８に示される第３の実施形態の包装箱３のごとく、箱そのものが大きくてしかも箱内部にかなりの重量のある商品を収納する場合には、箱の底部に緩衝材および補強材としてダンボールを敷設するようにしてもよい。この場合、追加して敷設されるダンボールは、底形状に沿った四角状の底面板とその底面板の四方から立設された４枚の側面板を備え、その内の２枚の側面板は、側面板４０，５０の内面と一定の間隙が形成される緩衝補強板７０，８０の間隙に包みこまれるように内包され、残りの２枚の側面板は、連接板１１０，１２０で形成される差し込みポケット形成を邪魔しないように角部が切り落とされた形態とすることが望ましい。
【００８３】
〔第４の実施形態の包装箱の説明〕
図９に示される第４の実施形態の包装箱４は、前述したように図８に示される第３の実施形態の形状から、前面板の上部端部に連接されて内部を覆う中蓋板１８０および差し込み板片９０、並びに底敷設板１７０を除いたシンプルな箱形態である。ここで、図８と重複した説明は極力省略する。図９に示される符号が、前述の図８に示される符号と同一で有る場合は、同一部材および同一の意義を有する。第３の実施形態の説明から、第４の実施形態の包装箱４の形態は容易に想起することができるので、ここでは、簡単に第４の実施形態の包装箱４の組立手法を文章のみで述べることとする。
【００８４】
まず、最初に、側面板４０，５０を立てつつ、緩衝補強板７０，８０が、側面板４０，５０の内面と一定の間隙をもって側面板の内側に折り込まれる。上部位置を構成する上板７１、８１が、上部に出ており、折り線７０ａ，８０ａを介して側板７２、８２が内部側部に配置され、折り線７０ｂ，８０ｂを介して載置板７３，８３が底面板２０の上に載置される。この際、保持片７４，８４は、折り線７０ｂ，８０ｂを基部として載置板７３，８３と反対方向に折り曲げられて緩衝補強板７０，８０の間隙を保持するようになっている。緩衝補強板７０，８０は、所定の折込による本来の緩衝機能に加えて、連接板１１０，１２０で形成される差し込みポケットの内側移動を押える機能を発揮して箱強度を増大させるようにも作用している。
【００８５】
次いで、内部に商品が収納配置される。
【００８６】
次いで、前面板１０と後面板３０を立てつつ、折り線６０ａを介して、上面板６０を被せるとともに、折り線１００ａ、折り線４００ａ、および折り線５００ａを介して、前面被着板１００、右側面被着板４００、および左側面被着板５００をそれぞれ折り込んで前面板１０、右側面板４０、および左側面板５０の上を覆うように重ねる。しかる後、左側面板５０の第４の切り込み線５５、第５の切り込み線５６および第６の切り込み線５７にそれぞれ、左側面被着板５００の第４の差込片５０５、第５の差込片５０６および第６の差込片５０７を差し込み、右側面板４０の第７の切り込み線４５、第８の切り込み線４６および第９の切り込み線４７にそれぞれ、右側面被着板４００の第７の差込片４０５、第８の差込片４０６および第９の差込片４０７を差し込み、前面板１０の第１の切り込み線１５、第２の切り込み線１６および第３の切り込み線１７にそれぞれ、前面被着板１００の第１の差込片１０５、第２の差込片１０６および第３の差込片１０７を差し込むことにより、箱形態が固定される。
【００８７】
なお、差し込み手法の順序は特に、上記の例に制限されるものではない。
【００８８】
〔第５の実施形態の包装箱の説明〕
図１０に示される第５の実施形態の包装箱５は、図１に示される第１の実施形態の形状から、内部を覆う中蓋板１８０および差し込み板片９０を除き、さらには、上面板６０に連接される前面被着板を、差込用前面板片２００に変えた形態の包装箱である。
【００８９】
差込用前面板片２００には、図１のごとく第１の差込片、第２の差込片、第３の差込片は存在していない。これとの関係で、前面板１０´には、第１の切り込み線、第２の切り込み線、第３の切り込み線は存在していない。
【００９０】
このように図１０に示される第５の実施形態の包装箱５は、シンプルな構造であり、箱形態の固定は、連接板１１０を所定の差し込みポケットが形成されるように折り込み、この差し込みポケットＰの中に、差し込み板片２００を差込むことによって行われる。なお、図１０に示される符号が、前述の図１に示される符号と同一で有る場合は、同一部材および同一の意義を有する。
【００９１】
すなわち、図１０に示される第５の実施形態の包装箱５は、前面板１０´、底面板２０、後面板３０、側面板４０，５０、上面板６０、および上面板６０に連接される差込用前面板片２００を有している。
【００９２】
そして、前面板１０´と２つの側面板４０，５０の間にはそれぞれ両者を繋ぎかつ差し込みポケットを形成用することができる連接板１１０が形成されており、当該連接板１１０は、内側に折り込まれる折り込み線１１０ａによって、連接される側面板４０，５０の前面端４１，４５と前面板１０´の幅方向端１１，１１とが一致するように折り込まれる構造を有している。連接板１２０も同様である。このような連接板１１０の折り込みによって、折り込まれる連接板１１０の前面板１０´側の内面１１１と、前面板１０´の内面１２とによって差し込みポケットが形成され、この差し込みポケットに差込用前面板片２００を差し込むことによって、箱形態が固定されるようになっている（差し込みポケット形成の状態は、実施形態は異なるものの、例えば、図３や図５を参照されたい）
【００９３】
さらに、一連の包装箱の組立手法について説明する。
【００９４】
まず、最初に、側面板４０，５０を立てつつ、緩衝補強板７０，８０が、側面板４０，５０の内面と一定の間隙をもって側面板の内側に折り込まれる。上部位置を構成する上板７１、８１が、上部に出て、折り線７０ａ，８０ａを介して側板７２、８２が内部側部に配置され、折り線７０ｂ，８０ｂを介して載置板７３，８３が底面板２０の上に載置される。この際、保持片７４，８４は、折り線７０ｂ，８０ｂを基部として載置板７３，８３と反対方向に折り曲げられて緩衝補強板７０，８０の間隙を保持するようになっている。なお、上述したように、緩衝補強板７０，８０は、所定の折込による本来の緩衝機能に加えて、緩衝補強板７０，８０の端部が前述した連接板１１０，１２０で形成される差し込みポケットの内側移動を押える機能を発揮して箱強度を増大させるようにも作用している。
【００９５】
次いで、内部に商品を収納配置する。
【００９６】
次いで、前面板１０´と後面板３０を立て、折り線６０ａを介して、箱内部を覆うように上面板６０を折り込んで行く。この際、連接板１２０および１１０は、所定の差し込みポケットが形成されるように折り込まれ、連接板１１０側の差し込みポケットの中に、差込用前面板片２００が差し込まれ、これによって、箱形態が固定される。
【００９７】
〔第６の実施形態の包装箱の説明〕
図１１に示される第６の実施形態の包装箱６は、図１０に示される第５の実施形態の形状、特に、連接板１１０，１２０の形態を三角形状から四角形状（一辺が箱高さに相当する）に変えて、差込用前面板片２００の差し込み深さを大きくして、箱の嵌着強度を増強させたものである。
【００９８】
なお、このような連接板１１０，１２０の形状変更は、上述した第１の実施形態〜第４の実施形態の包装箱にも適用可能である。
【００９９】
上述してきたように、本願発明は、多種多様の分離された資材を用いることなく、１種類の紙材を用いて折り方に工夫を凝らして多様な機能を持たせるようなシンプルな構成としているので、分別の必要性が極めて少なくなり、さらには包装資材の減量化にも寄与できる。さらには、箱の解体がしやすく（剥がしやすく）ので、箱を綺麗に解体でき、解体紙をそのまま資源として活用し易くなるという効果が発現する。
【符号の説明】
【０１００】
１、２、３、４、５、６…包装箱
１０…前面板
１５…第１の切り込み線
１６…第２の切り込み線
１７…第３の切り込み線
２０…底面板
３０…後面板
４０，５０…側面板
４５…第７の切り込み線
４６…第８の切り込み線
４７…第９の切り込み線
５５…第４の切り込み線
５６…第５の切り込み線
５７…第６の切り込み線
６０…上面板
９０…差し込み板片
１００…前面被着板
１８０…中蓋板
１１０、１２０…連接板
１０５…第１の差込片
１０６…第２の差込片
１０７…第３の差込片
５０５…第４の差込片
５０６…第５の差込片
５０７…第６の差込片
４０５…第７の差込片
４０６…第８の差込片
４０７…第９の差込片
【図１】
0005487518.tif 000003
【図２】
0005487518.tif 000004
【図３】
0005487518.tif 000005
【図４】
0005487518.tif 000006
【図５】
0005487518.tif 000007
【図６】
0005487518.tif 000008
【図７】
0005487518.tif 000009
【図８】
0005487518.tif 000010
【図９】
0005487518.tif 000011
【図１０】
0005487518.tif 000012
【図１１】
0005487518.tif 000013